(57)【要約】【課題】極力同一形状のパネルを用いて棚を組み立てることができ、ドライバー等の器具を必要としないで強度的に安定した組立てが可能であり、しかも、組み立てるねじが紛失しないよう離脱不能に具備している棚組立用パネルを提供する。【解決手段】パネルの両端に、他のパネルに突き合わせてその雌ねじに連結ねじを螺入して連結し得るように、その連結ねじの摘みが入る収納孔を左右一対ずつ設けて、収納孔からパネル端面に連結ねじが貫通して具備され、収納孔が摘みによるねじ操作可能において、摘みを脱出不能に保留するよう左右方向の長孔に形成されている。【効果】ドライバー等のねじ回し器具を用いることなく、棚を堅牢に組み立てることができ、また、連結ねじが収納孔に脱出不能に納まっているので、ねじを紛失するという不都合がなく、しかも、連結ねじを通す位置を変えうるようにしてあると、縦横すべてを同一パネルにより組み立て得る。【選択図】    図１
2004159878.tif 000002
【特許請求の範囲】
【請求項１】
パネルの両端に、他のパネルに突き合わせてその雌ねじに連結ねじを螺入して連結し得るように、その連結ねじの摘みが入る収納孔を左右一対ずつ設けて、収納孔からパネル端面に連結ねじが貫通して具備され、収納孔が摘みによるねじ操作可能において、摘みを脱出不能に保留するよう左右方向の長孔に形成されていることを特徴とする棚組立用パネル。
【請求項２】
パネルの端面と長孔の収納孔との間に切欠を設けるとともに、パネルと面一になるよう角筒形の構造補完部材を嵌着し、連結ねじを収納孔からパネル端面に貫通させるについて、構造補完部材の外側片に、連結ねじの中央通し孔と、その横の側部通し孔とを併設する一方、内側片には、その中央通し孔と側部通し孔とに相当する両孔が合体する連通孔を形成してあり、また、外側片には、中央通し孔に対して側部通し孔と対象位置に他のパネルの連結ねじを螺入する端ねじ孔を設け、さらに、パネルの両面には、中央通し孔の相当位置に他のパネルの連結ねじを螺入し得る多数の面ねじ孔を段々に配列し、連結ねじの摘みが納まる収納孔については、中央通し孔と側部通し孔との交互に連結ねじの通し変えが可能である形状としたことを特徴とする棚組立用パネル。
【請求項３】
パネルの端と長孔との間に設けられる切欠により構造補完部材の筒形の中を通る中芯が残されており、構造補完部材がコ字形の雌部材とその口を封じる形の雄部材とで中芯を挟んで結合し、中芯に連結ねじの前記通し変え可能な貫通孔が形成されていることを特徴とする請求項１記載の棚組立用パネル。
【発明の詳細な説明】
【０００１】
【発明の属する技術分野】
この発明は、多数枚によって棚をねじで組み立てるために使用する棚組立用パネルに関する。
【０００２】
【従来の技術】
従来、棚組立用パネルは、一般的に、左右の側部パネルと上下のパネルとからなり、それをビスで連結して枠組みを固定し、その枠組みの中において、左右の側部パネルの間に棚パネルを架設するようにしたものであった。枠組みのために、側部パネルにはビスの通し孔を設け、上下パネル端面にはそのビスを螺入する雌ねじを形成してあり、また、棚パネルの架設のために、左右側部パネルには、ボゾの差し孔を多数段に設け、自由な差し孔にボソを差し付けて棚パネルがそれに掛け止められる。
【０００３】
枠組みを基本とするこのような組立棚においては、その枠組みによって大きさが一定であって、自由な変更は許されない。また、側部パネルと上下パネル、棚パネルはそれぞれ寸法等において異なるために、それぞれ互換性がなく、組み込む位置を間違わないよう使用が煩雑となるという問題があった。
【０００４】
同じ形状構造のパネルにより組み立てるために、交差する各パネルに接続片が延びる十文字やＴ字形の連結具を用いる組立棚も提供される。これによると、接続片をパネルにねじ止めすることによりパネルどうしが固定されるが、固定が連結具を介して間接的となるために、組立てに強度的安定性が得られ難い。また、従来、いずれの組立て様式を取るにせよねじを用いるときには、それを回すドライバー等の器具が必要であり、しかも、ねじを紛失したときには適合する代わりのねじを求めることが困難な場合が多い等の不都合があった。
【０００５】
【発明が解決しようとする課題】
この発明は、上記のような実情に鑑みて、極力同一形状のパネルを用いて棚を組み立てることができ、ドライバー等の器具を必要としないで強度的に安定した組立てが可能であり、しかも、組み立てるねじが紛失しないよう離脱不能に具備している棚組立用パネルを提供することを目的とした。
【０００６】
【課題を解決するための手段】
上記の目的を達成するために、この発明は、パネルの両端に、他のパネルに突き合わせてその雌ねじに連結ねじを螺入して連結し得るように、その連結ねじの摘みが入る収納孔を左右一対ずつ設けて、収納孔からパネル端面に連結ねじが貫通して具備され、収納孔が摘みによるねじ操作可能において、摘みを脱出不能に保留するよう左右方向の長孔に形成されていることを特徴とする棚組立用パネルを構成した。
【０００７】
【作用】
棚組立用パネルを上記のように構成したから、これにより棚を組み立てるときには、収納孔に指を差し入れて摘みを回転することにより連結ねじを相手パネルのねじ孔に螺入すると、面と面との締め付けにより強度的に安定した連結状態が得られる。また、摘みは収納孔から抜けることがないので、棚を組み外して解体した後に連結ねじが紛失しているために困ったということは決して生じない。
【０００８】
【発明の実施の形態】
この発明においては、棚組立用パネルＰを他のパネルの面に突き合わせてそのねじ孔に螺入することにより棚を組み立てることができる。この場合、連結ねじ２の通し孔が一本であっても良いが、この点については、請求項２に記載のように、収納孔１を長孔に形成するとともに、パネル端面と長孔との間の構造補完部材９により、連結ねじ２を中央通し孔２５と側部通し孔２６との交互に移し変え得るようにすれば、直列、交差のいずれの連結も可能となる。
【０００９】
つまり、構造補完部材９の外側片１９に有する中央通し孔２５に連結ねじ２が位置するときには、それと同位置関係にある面ねじ孔８，８，・・のいずれかの面ねじ孔８に連結ねじ２を螺入して両パネルＰ，Ｐの交差連結ができるし、側部通し孔２６に連結ねじ２が位置するときには、それと同位置関係にある端ねじ孔７に螺入されることにより、直の連結ができることになる。したがって、同一形状構造により規格されたパネルＰだけで棚Ｒを組み立てることもできる（図５）。なお、必要に応じて異なるパネルも同時に使用される。
【００１０】
また、構造補完部材９については、一体構造であっても良いが、請求項３に記載したように、パネルＰとの結合を強化するためにそれに中芯１３を残したときには、雌部材９ａと雄部材９ｂとの結合というように両部材を合わせた構造となる。
【００１１】
なお、組み立てた棚は、縦横の構造となるが、背面板を設けることがあるし、さらに、縦横の目内に補強板３０を嵌め込むこともある。
【００１２】
【発明の効果】
以上説明したように、この発明の棚組立用パネルによれば、ドライバー等のねじ回し器具を用いることなく、棚を堅牢に組み立てることができ、また、連結ねじが収納孔に脱出不能に納まっているので、ねじを紛失するという不都合がなく、しかも、殊に請求項２に記載の如く、連結ねじを通す位置を変えうるようにしてあると、縦横すべてを同一パネルにより組み立て得るという優れた効果がある。
【００１３】
【実施例】
次に、この発明の実施例を図面に基づいて説明する。
【００１４】
図面は、一実施例を示したもので、その棚組立用パネルＰは、矩形の合板であって（図１）、長手方向の両端に、連結ねじ２の摘み３が移動可能に納まる幅方向の長孔の収納孔１，１を左右一対ずつ設け、収納孔１と長手方向の端との間が連結ねじ２を左右移動可能に保持する通し孔構造となっている。また、直列に突き合う他のパネルＰと連結するために、連結ねじ２を螺入する端ねじ孔７が設けられ、パネルＰの両面には、左右一対の並びにおいて、交差して突き合う他のパネルＰの連結ねじ２を螺入する多数の面ねじ孔８，８，・・が等間隔に設けられる。そして、このような構造をとるために、各収納孔１と端面との間にプラスチックで成形された構造補完部材９が嵌着される。なお、端ねじ孔７および面ねじ孔８を設けるために、それぞれ筒形の雌ねじが埋設される。
【００１５】
構造補完部材９は、雌雄両部材９ａ，９ｂが二つ合わせにおいて角筒形であって（図２）、パネルＰの外面と収納孔１の内面とにそれが面一となるように、パネルＰには収納孔１と端面との間に両部材９ａ，９ｂが挟み込む中芯１３が角形に残るように切欠１２が設けられ、中芯１３に連結ねじ２が入る貫通孔１５が長孔にして形成される。
【００１６】
構造補完部材９の雌部材９ａは、パネルＰの表面と面一となるベース面片１７に、収納孔１の内面と面一となる内側片１８と、パネルＰの端面と面一となる外側片１９とを形成したコ字形の屈折片であって、その開口両側内縁に雄部材９ｂの掛止溝２１，２１を形成してある。また、雄部材９ｂは、パネルＰの他の表面と面一となる板状であって、両端に掛止溝２１，２１に掛かる逆止爪２３，２３が突設される。この結合により雌雄両部材９ａ，９ｂが中芯１３を挟んで固着される。
【００１７】
雌部材９ａには、外側片１９の中心に連結ねじ２の中央通し孔２５を設け、その一横に側部通し孔２６を形成し、他の横に設けた孔に雌ねじを嵌め込んで端ねじ孔７が設けられる。また、内側片１８には、中央通し孔２５と側部通し孔２６とに相当する両孔が合体するダルマ状の連通孔２４が形成される。さらに、雌部材９ａのベース面片１７とそれに対応する雄部材９ｂとに、それぞれ多数配列される面ねじ孔８，８，・・のうちの一の面ねじ孔８が設けられる。なお、中芯１３には同位置に連結ねじ２の突き孔２７が形成される。
【００１８】
図１は棚を組み立てる要領を、図５は組み立てた棚Ｒの一例を示す。また、図３は上下パネルＰ，Ｐを直列に連結する要領を示し、この場合、連結ねじ２は側部通し孔２６に位置して、相手パネルＰの端ねじ孔７に螺入する態勢を取っている。この図からも分かるように、中央通し孔２５に対する側部通し孔２６と端ねじ孔７との位置関係については、それぞれ同じ右側または左側であって、上下では左右が入れ替わっている。こうすると、各縦列のパネルＰ，Ｐ，・・は表裏それぞれ統一面の連続となる。
【００１９】
図４は縦のパネルＰに棚板として横から他のパネルＰ，Ｐを突き合わせて連結する状態を示した。この場合は、連結ねじ２は中央通し孔２５の位置にあって、それと同位置関係にある面ねじ孔８，８，・・のうちの（構造補完部材９に形成されている）下端の面ねじ孔８に螺入される。
【００２０】
図５はこのようにして縦横を同一パネルＰ，Ｐ，・・によって組み立てた場合を示したが、縦横いずれかについては、全長が一体のパネル（図示省略）を使用することもできる。なお、補強板３０は、金属板にプレス加工を施すことにより、両端に上下耳片３２，３２を有するもので、その耳片３２が縦パネルＰの面ねじ孔８に螺入するビス３４により止められる（図１）。
【図面の簡単な説明】
【図１】この発明の棚組立用パネルを棚の組立て要領において示す斜視図である。
【図２】同棚組立用パネルの要部を分解して示す拡大斜視図である。
【図３】図１のＡ−Ａ線矢視の拡大断面図である。
【図４】図１のＢ−Ｂ線矢視の拡大断面図である。
【図５】組み立てた棚の一例を示す正面図である。
【符号の説明】
Ｐ  棚組立用パネル
Ｒ  棚
１  収納孔
２  連結ねじ
３  摘み
７  端ねじ孔
８  面ねじ孔
９  構造補完部材
９ａ  雌部材
９ｂ  雄部材
１２  切欠
１３  中芯
１５  貫通孔
１７  ベース面片
１８  内側片
１９  外側片
２４  連通孔
２５  中央通し孔
２６  側部通し孔
【図１】
2004159878.tif 000003
【図２】
2004159878.tif 000004
【図３】
2004159878.tif 000005
【図４】
2004159878.tif 000006
【図５】
2004159878.tif 000007